(57)【特許請求の範囲】
【請求項１】
所定の外形状の下地合板に、同じ外形状のハードなパネル状に成形した断熱パネルを重ね合わせてほぼ全面接着し、この断熱パネルに、同じ外形状の木枠の外面側を重ね合わせてほぼ全面接着してなることを特徴とする重量鉄骨造に用いる外壁パネル。
【請求項２】
上記木枠の内面側に、上記木枠の外框と同じ外形状の石膏ボードを重ね合わせて固定し、この木枠の内部で、石膏ボードと上記断熱パネルとの間に空気層を形成している請求項１に記載の重量鉄骨造に用いる外壁パネル。
【発明の詳細な説明】
【０００１】
【発明の属する技術分野】
本発明は、断熱性、加工性及び品質安定性に優れた重量鉄骨造に用いる外壁パネルに関する。
【０００２】
【従来の技術】
従来、住宅等を建てる工法としては、木造、鉄筋コンクリート造あるいは鉄骨造があり、特に鉄骨造、とりわけ軽量鉄骨造よりも重量鉄骨造の方が、きわめて強靭な鋼材を素材として骨組みを組み立てる構造であるため、強靭で経済的な住宅を建てることができるという利点があり、近年では最も注目されている。
【０００３】
ところで、住宅等の外壁パネルは、断熱、遮音、防露等の諸性能を確保する必要がある。このため、図４に示す従来の外壁パネル１は、所定の外形状の耐水性下地合板２に、同じ外形状の木枠３を重ね合わせてほぼ全面接着すると共に、この木枠３の外框３ａの内部で中桟３ｂと横桟３ｃとで区切られた各空間４，…，４に、遮音材を兼ねる断熱材５，…，５をそれぞれ嵌め込み、上記下地合板２に重ね合わせてほぼ全面接着している。また、上記木枠３に、石膏ボード６を重ね合わせて釘等で固定し、この木枠３の外框３ａの内部で、石膏ボード６と上記各断熱材５との間に空気（断熱）層７を形成している。
【０００４】
上記外壁パネル１は、図５（Ａ）に示すように、２階の床パネル８の端部に、２階用の外壁パネル１（Ａ）の下框３ｄの段部と１階用の外壁パネル１（Ｂ）の上框３ｅの段部とをそれぞれ嵌め合わせるようになっている。
【０００５】
【発明が解決しようとする課題】
しかしながら、上記各断熱材５は、木枠３の中桟３ｂと横桟３ｃとで区切られた各空間４に１個づつ嵌め込むようになっているから、各断熱材５がグラスウールのようなものであれば、嵌め込んだときには各桟３ｂ，３ｃとの間に隙間が無くでも、長年の間にグラスウールが自重で下方に片寄って、図５（Ｂ）に示すような隙間ｔ１が発生するようになる。この隙間ｔ１は、外壁パネル１の各空間４の全部で発生するおそれが充分にある。
【０００６】
そうすると、各空間ｔ１では、下地合板２を境にして内気と外気との間に断熱材５が介在しなくなるから、内外気の温度差により、下地合板２の裏面（グラスウール側）に結露ａが生じて、下地合板２を腐らせたり、下地合板２にかびが発生する原因となる。また、グラスウールは保水性があることから、長期にわたって多量の結露ａを保水してしまうと、隙間ｔ１の部分の下地合板２のみならず、下地合板２全体を腐らせたり、下地合板２全体にかびが発生すると共に、石膏ボード６側にも浸透して、石膏ボード６にもしみが付いたり、かびが発生する原因となる。
【０００７】
一方、上記各断熱材５がパネル状の発泡スチロールのようなものであれば、多数個（本例では６個）の各断熱材５を、木枠３の中桟３ｂと横桟３ｃとで区切られた各空間４にそれぞれ隙間ｔ１が発生しないように、１個づつ切断加工し、さらに嵌め込み作業をするのは非常に困難であって、切断誤差や嵌め込み誤差等により、図５（Ｂ）に示したような隙間ｔ１が発生するのを避けることができない。また、各断熱材５が反り返ることにより、各断熱材５と下地合板２の接着面にも隙間ｔ２が発生するおそれがある。
【０００８】
上述したように、各断熱材５の各隙間ｔ１，ｔ２により、断熱性とともに防露性が低下するのみならず、遮音性も低下することになるまた、各断熱材５を各空間４にそれぞれ隙間ｔ１が発生しないように切断加工する作業及び嵌め込む作業が非常に煩わしくて時間がかかるので、外壁パネルの加工性が悪いと共に、各隙間ｔ１，ｔ２が不用意に発生するおそれが多いので、品質安定性も悪いという問題があった。
【０００９】
本発明は、上記問題を解決するためになされたもので、断熱性、加工性及び品質安定性に優れた重量鉄骨造に用いる外壁パネルを提供することを課題とするものである。
【００１０】
【課題を解決するための手段】
上記課題を解決するために、本発明は、所定の外形状の下地合板に、同じ外形状のハードなパネル状に成形した断熱パネルを重ね合わせてほぼ全面接着し、この断熱パネルに、同じ外形状の木枠の外面側を重ね合わせてほぼ全面接着してなることを特徴とする重量鉄骨造に用いる外壁パネルを提供するものである。
【００１１】
また、上記木枠の内面側に、上記木枠の外框と同じ外形状の石膏ボードを重ね合わせて固定し、この木枠の内部で、石膏ボードと上記断熱パネルとの間に空気層を形成することもできる（請求項２）。
【００１２】
【発明の効果】
本発明の重量鉄骨造に用いる外壁パネルは、同じ外形状の下地合板とハードなパネル状に成形した断熱パネルと木枠とを３層に重ね合わせて、それぞれをほぼ全面接着するから、木枠の各空間で断熱パネルに従来のような隙間（ｔ１）が発生するおそれは全く無くなると共に、下地合板と木枠とでサンドイッチ状態の断熱パネルに従来のような隙間（ｔ２）が発生するおそれも全く無くなる。したがって、下地合板の全面に断熱パネルが隙間無く密着することになるから、従来では考えられなかった１００％の断熱性能及び遮音性能が得られるようになると共に、結露が生じるおそれも無くなって、結露に起因する腐食やかびの発生も全く無くなる。
【００１３】
また、断熱パネルは、従来のように各空間に嵌め込むために細かく切断加工する必要は無く、１個づつ嵌め込む作業も不要であるから、外壁パネルの加工性が格段に向上すると共に、隙間（ｔ１，ｔ２）が不用意に発生するおそれも全く無いから、品質安定性も格段に向上するようになる。
【００１４】
さらに、重量鉄骨造は、軽量鉄骨造等とは異なり、外壁パネル自体で鉄骨等を補強する必要がないから、下地合板と断熱パネルと木枠とは接着による固定のみで充分であるが、外装パネルを下地合板に重ね合わせて釘で固定するとき、この釘を、下地合板と断熱パネルを貫通させて木枠に打ち込むので、結果的に、下地合板と断熱パネルと木枠とが釘で固定されることになり、長年の間に接着性能が低下したとしても問題がない。
【００１５】
【発明の実施の形態】
以下、本発明の実施の形態を図面を参照して詳細に説明する。図１及び図２に示すように、外壁パネル１１は、所定の外形状（例えば、幅Ｗ：９１０ｍｍ、高さＴ：２７８０ｍｍ）の耐水性下地合板１２に、同じ外形状の断熱パネル１５を重ね合わせてほぼ全面接着し、この断熱パネル１５に、同じ外形状の木枠１３を重ね合わせほぼ全面接着している。なお、木枠１３において、１３ａは外框、１３ｂは中桟、１３ｃは横桟、１３ｄは下框、１３ｅは上框であり、１４は空間である。
【００１６】
また、木枠１３の外框１３ａに、内部配線等が終了した後に、外框１３ａと同じ外形状の石膏ボード１６を重ね合わせて釘等で固定し、この木枠１３の外框１３ａの内部で、石膏ボード１６と上記断熱パネル１５との間に空気（断熱）層１７を形成している。
【００１７】
例えば、下地合板１２の厚さｔ３は９（５〜１２）ｍｍ、断熱パネル１５の厚さｔ４は２５ｍｍ、木枠１３（空気層１７）の厚さｔ５は５６ｍｍであって、厚さｔ３，ｔ４，ｔ５の合計の厚さｔ６が規格値として９０ｍｍとなるように設定する。同様に、例えば、石膏ボード１６の厚さｔ７は１２（９〜１５）ｍｍ、外装パネル１９の厚さｔ８は１８ｍｍである。上記断熱パネル１５は、例えば発泡スチロール、発泡ポリスチレン、発泡ウレタン等をハードなパネル状に成形したものが好ましい。
【００１８】
上記した重量鉄骨造は、軽量鉄骨造等とは異なり、外壁パネル１１自体で鉄骨等を補強する必要がないから、下地合板１２と断熱パネル１５と木枠１３とは接着による固定のみで充分であるが、外装パネル１９を下地合板１２に重ね合わせて釘で固定するとき、この釘を、下地合板１２と断熱パネル１５を貫通させて木枠１３に打ち込むので、結果的に、下地合板１２と断熱パネル１５と木枠１３とが釘で固定されることになり、長年の間に接着性能が低下したとしても問題がない。
【００１９】
上記外壁パネル１１は、図２に示したように、２階の床パネル１８の端部に、２階用の外壁パネル１１（Ａ）の下框１３ｄの段部と１階用の外壁パネル１１（Ｂ）の上框１３ｅの段部とをそれぞれ嵌め合わせるようになっている。
【００２０】
上記外壁パネル１１であれば、同じ外形状の下地合板１２と断熱パネル１５と木枠１３とを３層に重ね合わせて、それぞれをほぼ全面接着して構成しているから、図３（Ａ）に示すように、本発明の２枚の外壁パネル１１，１１を横に並べたときの断熱パネル１５，１５と、図３（Ｂ）に示すように、従来の２枚に外壁パネル１，１を横に並べたときの断熱材５，…，５とを比較すれば明らかなように、本発明の断熱パネル１５は、１枚の下地合板１２及び木枠１３に対して１枚であって、従来の断熱材５のように、各空間４ごとに細かく分割されていないから、断熱パネル１５に従来のような隙間ｔ１が発生するおそれは無いと共に、下地合板１２と木枠１３で断熱パネル１５をサンドイッチするから、断熱パネル１５に従来のような隙間ｔ２が発生するおそれも無い。
【００２１】
よって、下地合板１２の全面に断熱パネル１５が隙間無く密着することから、１００％の断熱性能及び遮音性能が得られることになる。また、上記隙間ｔ１，ｔ２に起因して結露が生じるおそれも無く、腐食やかびの発生も無くなる。
【００２２】
一方、断熱パネル１５は、従来のように細かく分割して切断加工する必要が無く、１個づつ空間１４に嵌め込む作業も不要であって、下地合板１２の外形状に一致させる加工だけでよいから、外壁パネル１１の加工性が格段に向上する。また、上記各隙間ｔ１，ｔ２が発生するおそれが無いことから、断熱、遮音、防露等の品質安定性も向上する。
【図面の簡単な説明】
【図１】  本発明の重量鉄骨造に用いる外壁パネルの分解斜視図である。
【図２】  本発明の重量鉄骨造に用いる外壁パネルの断面図である。
【図３】  （Ａ）は本発明の重量鉄骨造に用いる断熱パネルの正面図、（Ｂ）は従来の断熱材の正面図である。
【図４】  従来の外壁パネルの分解斜視図である。
【図５】  （Ａ）は従来の外壁パネルの断面図、（Ｂ）は断熱材の隙間を示す断面図である。
【符号の説明】
１１  重量鉄骨造に用いる外壁パネル
１２  下地合板
１３  木枠
１４  空間
１５  断熱パネル
１６  石膏ボード
１７  空気層
【図１】
0003711170.tif 000002
【図２】
0003711170.tif 000003
【図３】
0003711170.tif 000004
【図４】
0003711170.tif 000005
【図５】
0003711170.tif 000006